(57)【要約】【課題】容器に入った液体を素早く加温する液体加温装置の提供。【解決手段】吸排熱シート１を太陽光に当て受熱させる。次に、液体の入った容器３０に吸排熱シート１を巻きつけ、断熱部材１０を介して人の手２０で支持する。人の手２０を動かし、容器３０内部の液体を流動させ、加温する。【選択図】図１
2010112685.tif 000002
【特許請求の範囲】
【請求項１】
吸排熱部材に熱源からの熱を吸熱させ、前記吸排熱部材を液体の入った容器に接触させ、前記液体を流動させて、前記液体の温度を上昇させることを特徴とする液体加温装置。
【請求項２】
前記熱源は太陽であることを特徴とする請求項１に記載の液体加温装置。
【請求項３】
前記吸排熱部材上で前記容器を転がして、前記吸排熱部材と前記容器を接触させ、かつ、前記容器内の前記液体を流動させることを特徴とする請求項１または請求項２記載の液体加温装置。
【請求項４】
前記吸排熱部材は流動性を有する物体から成り、吸熱時の表面積／体積の比率を前記容器接触時よりも大きくしたことを特徴とする請求項１または請求項２記載の液体加温装置。
【請求項５】
前記吸排熱部材はシートであり、前記容器に巻きつけて接触させることを特徴とする請求項１または請求項２記載の液体加温装置。
【請求項６】
前記シートを前記容器に巻きつけたものを断熱部材を介して支持する支持部材を設け、前記支持部材を動かすことにより、前記容器内の前記液体を流動させることを特徴とする請求項５記載の液体加温装置。
【請求項７】
前記支持部材が人の手であることを特徴とする請求項６記載の液体加温装置。
【請求項８】
前記容器が金属であることを特徴とする請求項１ないし請求項７記載の液体加温装置。
【請求項９】
前記液体の入った前記容器が市販の容器入り飲料であることを特徴とする請求項１ないし請求項８記載の液体加温装置。
【発明の詳細な説明】
【技術分野】
【０００１】  本発明は容器に入った液体を加温する液体加温装置に関するものである。
【背景技術】
【０００２】  特許文献１にはペットボトルに貯水された水を太陽熱で加温する液体加温装置が記載されている。
【特許文献１】特開２００３−１０５８８３号公報
【発明の開示】
【発明が解決しようとする課題】
【０００３】  しかしながら、水のような液体物は比熱が大きく、一方、太陽光の面積当たり受熱量はそれほど大きくないため、液体の入った容器に太陽光を当てただけでは、温度上昇速度が遅いという問題があった。また、太陽熱だけでは不十分な加温を補うために、地球の資源を消費する人工熱源を用いる場合があり、省エネルギーが十分でないという問題があった。さらにまた、液体を入れる容器は備え付けのものであり、繰り返し使用するうちに外部から微生物、細菌、ウイルス、有害物質などが侵入する問題があった。【０００４】  本発明は従来技術のこのような問題点に鑑みてなされたものであり、その目的は、容器に入った液体を素早く加温する液体加温装置を提供することにある。また、省エネルギーな液体加温装置を提供することにある。さらにまた、外部から微生物、細菌、ウィルス、有害物質などが侵入することを防止する液体加温装置を提供することにある。
【課題を解決するための手段】
【０００５】  本発明は、上記課題の少なくとも一部を解決するように、以下の形態、または適用例として実現される。【０００６】  ［適用例１］本適用例の液体加温装置は、吸排熱部材に熱源からの熱を吸熱させ、前記吸排熱部材を液体の入った容器に接触させ、前記液体を流動させて、前記液体の温度を上昇させることを特徴とする。この構成によれば、前記吸排熱部材と前記液体が前記容器を介して接触することにより、接触熱伝導で前記吸排熱部材から前記液体に熱が伝わるため、素早く前記液体を加温することができる。さらに、前記液体を流動させることにより、前記液体と前記容器が短時間で均一に接触するため、より素早く前記液体を加温することができる。【０００７】  ［適用例２］また、本適用例の液体加温装置は、前記熱源を太陽とすることを特徴とする。この構成によれば、地球の資源を消費する人工熱源を使う必要がなく、省エネルギーが達成できる。【０００８】  ［適用例３］また、本適用例の液体加温装置は、前記吸排熱部材上で前記容器を転がして、前記吸排熱部材と前記容器を接触させ、かつ、前記容器内の前記液体を流動させることを特徴とする。この構成によれば、前記容器を介した前記液体と前記吸排熱部材の接触面積を増加させることができ、より素早く前記液体を加温することができる。【０００９】  ［適用例４］また、本適用例の液体加温装置は、前記吸排熱部材を流動性物体から構成し、吸熱時の表面積／体積の比率を前記容器接触時よりも大きくしたことを特徴とする。この構成によれば、前記吸排熱部材が吸熱する際の受熱面積が増加し、前記吸排熱部材の温度上昇速度が増加する。さらに、前記吸排熱部材と前記容器を接触させた際の表面積／体積の比率を小さくすることにより、前記吸排熱部材内部の伝熱速度が増加し、前記容器を介した前記液体の温度上昇速度が増加する。さらにまた、前記容器が凹凸を有する形状であっても、前記吸排熱部材と前記容器の接触面積を増加させることができ、前記容器を介した前記液体の受熱量が増加する。以上より、一層素早く前記液体を加温することができる。【００１０】  ［適用例５］また、本適用例の液体加温装置は、前記吸排熱部材をシートとし、前記容器に巻きつけて接触させることを特徴とする。この構成によれば、前記吸排熱部材が吸熱する際の受熱面積が増加し、前記吸排熱部材の温度上昇速度が増加する。さらに、前記吸排熱部材を前記容器に巻きつけることにより、巻きついた層間で熱伝導が行われ、前記吸排熱部材から前記容器を介して前記液体への伝熱速度が増加する。以上より、一層素早く前記液体を加温することができる。【００１１】  ［適用例６］また、本適用例の液体加温装置は、前記シートを前記容器に巻きつけたものを断熱部材を介して支持する支持部材を設け、前記支持部材を動かすことにより、前記容器内の前記液体を流動させることを特徴とする。この構成によれば、前記シートから前記支持部材への熱の逃げを低減でき、より素早く前記液体を加温することができる。【００１２】  ［適用例７］また、本適用例の液体加温装置は、前記支持部材を人の手とすることを特徴とする。この構成によれば、前記容器が凹凸を有する形状であっても、前記シートの巻きついた層間、��び、前記シートと前記容器の密着性を高めることができ、前記シートから前記容器を介した前記液体への伝熱速度が増加する。その結果、より素早く前記液体を加温することができる。【００１３】  ［適用例８］また、本適用例の液体加温装置は、前記容器が金属であることを特徴とする。この構成によれば、金属は熱伝導率が高いため、前記吸排熱部材から前記容器を介した前記液体への伝熱速度が増加し、より素早く前記液体を加温することができる。【００１４】  ［適用例９］また、本適用例の液体加温装置は、前記液体の入った前記容器が市販の容器入り飲料であることを特徴とする。この構成によれば、前記容器入り飲料を未開封のまま加温できるため、外部から微生物、細菌、ウィルス、有害物質が侵入することを防止できる。
【発明を実施するための最良の形態】
【００１５】  本発明の実施形態につき、図により説明する。図１は本発明の実施形態を示す説明図である。液体の入った容器３０に吸排熱シート１が巻きつけてあり、断熱部材１０を介して人の手２０で支持している。人の手２０を動かし、矢印Ｓａ方向に容器３０を揺すり、内部の液体を流動させる。容器３０の揺すり方は矢印Ｓａ方向に示す縦方向に限られたものではなく、横方向に揺する、回すなどでも良い。【００１６】  次に図１で説明した本発明の実施形態における熱の流れについて説明する。図２は本発明の実施形態の熱の流れを示す説明図である。図２は図１を上から見た断面図になっている。断熱部材１０、吸排熱シート１を介して人の手２０により、容器３０を矢印Ｆａ方向に圧迫支持する。図２では吸排熱シート１の巻きつき状態を表現するために、吸排熱シート１の層間を離して描いてあるが、実際は、部分的に密着している。また、吸排熱シート１は容器３０にも部分的に密着している。そして、容器３０と内部の液体４０は部分的に接触している。その密着部分または接触部分を通って接触熱伝導により矢印Ｑａ方向に熱が流れる。吸排熱シート１は液体４０より高温であるため熱の流れの方向は矢印Ｑａである。一方、容器３０を揺することにより、液体４０は矢印Ｍａ方向に流動し、液体４０が容器３０にムラなく接触し、熱を受け取る。なお、実際の液体４０の流動状態は矢印Ｍａ方向に限られたものではなく複雑である。矢印Ｍａは液体４０が容器３０に素早くまんべんなく接触することを模式的に説明したものである。【００１７】  次に図１、図２で示した本発明の実施形態の作用効果について説明する。
（１）吸排熱シート１から液体４０へは接触熱伝導で熱が流れる、
（２）吸排熱シート１を容器３０に巻きつけたため、吸排熱シート１の層間で接触熱伝導により熱が移動するようになり、吸排熱シート１から容器３０への伝熱速度が増加する、
（３）吸排熱シート１と人の手２０の間に断熱部材１０を設けたため、吸排熱シート１から人の手２０への熱の逃げが低減し、吸排熱シート１から容器３０への伝熱量が増加する、
（４）人の手２０はやわらかく、構造が複雑であるため、吸排熱シート１を容器３０の凹凸に、より倣わせて密着させることができるため、吸排熱シート１と容器３０の接触面積が増加し、吸排熱シート１から容器３０への伝熱量が増加する、
（５）液体４０を流動させるため、短時間でより均一に液体４０と容器３０が接触する
以上の（１）ないし（５）により、より素早く液体４０を加温することができる。【００１８】  図３は本発明の実施形態の吸排熱シートの吸熱方法例を示す説明図である。吸排熱シート１を熱源であるストーブ５０の前にかざし、矢印Ｑｂで示すストーブ５０からの輻射熱を吸収シート１に吸収させている。なお、人工熱源としてはストーブ５０に限定されることはなく、炭火、焚き火、白熱電球など輻射熱を発生するものであれば何でも利用できる。【００１９】  次に図３で示した本発明の実施形態の作用効果について説明する。吸排熱シート１は容器３０よりも輻射熱を受ける面積を広くすることができるため、熱源からの輻射熱を直接容器３０にあてた場合の液体４０の温度上昇速度よりも吸排熱シート１の温度上昇速度の方が大きい。然る後に接触熱伝導を利用して吸排熱シート１の熱を液体４０に移すため、総合して熱源からの輻射熱を直接容器３０にあてる場合よりも液体４０を素早く加温することができる。【００２０】  本発明の実施形態の別の吸排熱シートの吸熱方法として、太陽を熱源とし、太陽光を吸排熱シート１に当て加温する方法がある。作用効果としては、人工熱源ではないため、地球の資源を消費することがなく、省エネルギーである。【００２１】  図４は本発明の実施形態の別の吸排熱シートの吸熱方法例を示す説明図である。自動車７０の車内のダッシュボードが太陽光５２に照らされて高温になっている高温部分６０に吸排熱シート１を接触させ、接触熱伝導を利用して吸排熱シート１を加温する。なお、高温部分６０としては図４に示すものに限定されることはなく、高温になっている物体であれば、太陽光５２の当たっている窓枠、床、壁、道路など、あるいは、走行終了後に熱くなっている自動車エンジン、使用終了後のガスレンジのゴトク、消火後、余熱で高温になっているストーブ天板など何でも利用できる。【００２２】  次に図４で示した本発明の実施形態の作用効果について説明する。接触熱伝導を利用して高温部分６０から吸排熱シート１に熱を移すため、輻射熱を利用するよりも素早く吸排熱シート１を加温することができる。また、吸排熱シート１は容器３０よりも高温部分６０との接触面積を広くすることができるため、容器３０を高温部分６０に直接接触させた場合の液体４０の温度上昇速度よりも吸排熱シート１の温度上昇速度の方が大きい。然る後に吸排熱シート１を容器３０に巻きつけることにより、吸排熱シート１から容器３０への接触熱伝導速度を増加させることができるため、総合して容器３０を高温部分６０に直接接触させた場合よりも液体４０を素早く加温することができる。さらにまた、高温部分６０が装置の発熱、余熱、漏れた熱など、その装置の目的外の熱により高温になっている場合は、その熱は環境に無駄に捨てられることになるので、その熱を利用すれば省エネルギーとなる。さらにまた、太陽光５２があたって高温になっている高温部分６０を利用する場合は、人工熱源ではないため、地球の資源を消費することがなく、より省エネルギーである。【００２３】  図５は本発明の実施形態の吸排熱シート及び断熱部材の構成例を示す説明図である。断熱部材付き吸排熱シート２は、吸排熱シート３上に部分的に断熱部材１１を設けた構成である。この断熱部材１１は、断熱部材付き吸排熱シート２を容器３０にまきつけて、人の手２０で支持した際に図１で示すように、容器３０と人の手２０の間に介在するようになっている。作用効果としては、吸排熱シート３上に断熱部材１１を設けることにより、吸排熱シート１を容器３０に巻きつける動作、及び、その上から断熱部材１０を巻きつける動作との間の時間が低減できるため、その間の吸排熱シート３からの熱の逃げが低減でき、より素早く液体４０を加温することができる。【００２４】  次に図１ないし図５で説明した本発明の実施形態の構成例について説明する。
吸排熱シート３の幅  Ｗｓ  １０ｃｍ
吸排熱シート３の長さ  Ｌｓ  １００ｃｍ
吸排熱シート３の厚さ  ｄ  ３ｍｍ
吸排熱シート３の部材  黒色ゴム（その他部材、布、紙、プラスチック、粘土、黒色塗装鉛箔、黒色塗装鉄鎖、砂封入ビニール袋など可撓性を有するもの）
断熱部材１１の幅  Ｗｄ  １０ｃｍ
断熱部材１１の長さ  Ｌｄ  ２０ｃｍ
断熱部材１１の部材  毛布（その他部材、スポンジ、毛糸マット、フェルト、多数の突起を有するプラスチックマット、エアキャップ（多数の空気封入部を有するビニールマット）など）
容器３０のＡ  市販のペットボトル飲料３４５ｍＬ空き容器
容器３０のＢ  市販のスクリューキャップ付きアルミ缶コーヒー飲料２８５ｍＬの空き容器【００２５】  次に上記構成例における液体４０の加温結果を説明する。液体４０として水道水２００ｍＬを容器３０のＡ、及び、容器３０のＢ、容器３０のＡと同一形態の容器Ｃの各々に入れた。図６は断熱部材付き吸排熱シートの吸熱方法例を示す説明図である。カーテン７１の開いた窓があり、断熱部材付き吸排熱シート２を太陽光５２に当たって高温になっている窓枠６１に３０秒間接触させた。断熱部材付き吸排熱シート２の吸排熱シート３には不図示の熱電対が取り付けてあり、温度上昇を測定した。その後、断熱部材付き吸排熱シート２を図１で示すように容器３０に巻きつけ、人の手２０で支持し、矢印Ｓａ方向に３０秒間振った。その後、容器３０のスクリューキャップを外し、内部の水道水に熱電対を浸し、どのくらい加温されたかを測定した。以上の作業を容器３０のＡ、容器３０のＢについて行った。【００２６】  比較として、容器Ｃを太陽光５２に当たって高温になっている窓枠６１に置き、さらに窓を通して太陽光５２を当てた場合の温度上昇を測定した。測定方法は、容器Ｃのスクリューキャップに直径１ｍｍの穴を開け、そこに熱電対を通し、内部の水道水に浸して温度を測定する方法である。【００２７】  図７は吸排熱シート３の温度上昇、及び、容器３０のＡ、容器３０のＢ、比較として容器Ｃ内部の水道水の温度上昇を時間に対してプロットしたものである。実線７２、破線７３で示す温度変化は吸排熱シート３の温度上昇。それら温度上昇した吸排熱シート３を各々１５秒程度で容器３０のＡまたは容器３０のＢに巻きつけた。その後、容器３０のＡまたは容器３０のＢを３０秒間振った時の内部の水道水の温度上昇を容器３０のＡは実線７４、容器３０のＢは破線７５で示す。一方、一点鎖線７６で示す温度上昇は、容器Ｃを太陽光５２に当たって高温になっている窓枠６１に置き、かつ、窓を通して太陽光５２を当てた時の容器Ｃ内部の水道水の温度上昇である。【００２８】  図７より、容器Ｃ内部の水道水の温度上昇速度よりも、吸排熱シート３の温度上昇速度の方が大きかった。そして、吸排熱シート３の熱を移された容器３０のＡ、及び、容器３０のＢ内部の水道水の方が温度上昇速度が大きかった。したがって、本発明の実施形態によれば水道水を素早く加温することができた。【００２９】  なお、容器３０のＢの方が容器３０のＡよりも内部水道水の温度上昇速度が大きかった。この作用効果としては、容器３０のＢの材質であるアルミが金属であり、熱伝導率が高いため、吸排熱シート３から容器３０のＢを介した内部水道水への伝熱速度が増加したことによる。【００３０】  図８は本発明の実施形態の変形例を示す説明図である。人の手２０は断熱手袋１２を着用しており、吸排熱シート１を巻きつけた液体の入った容器３０を圧迫支持している。断熱手袋１２の素材としては毛糸、木綿、フェルト、皮などが適用できる。作用効果としては、吸排熱シート１に吸熱させ、容器３０に巻きつける作業の際にも断熱手袋１２を着用することにより、素手で吸排熱シート１に触ることによる人の手２０への熱の逃げを防止でき、より素早く液体４０を加温することができる。【���０３１】  図９は本発明の第２の実施形態を示す説明図である。図９のａは概略斜視図、図９のｂは概略断面図である。吸排熱部材４をトレイ５の上に薄く広げ、太陽光５２に当て吸熱、温度上昇させる（図９のａ）。次に袋状容器８０に液体４０の入った容器３０、及び、高温になった吸排熱部材４を入れ、吸排熱部材４と容器３０を接触させる。次に袋状容器８０を矢印Ｓｂ方向に振り、液体４０を流動させる（図９のｂ）。袋状容器８０の揺すり方は矢印Ｓｂ方向に示す縦方向に限られたものではなく、横方向に揺する、回すなどでも良い。【００３２】  次に図９で説明した本発明の実施形態における作用効果について説明する。吸排熱部材４をトレイ５の上に薄く広げることにより、表面積／体積比率は大きくなる。その結果、太陽光５２の受熱面積が広くなり、吸排熱部材４の温度上昇速度が増加する。また、袋状容器８０に吸排熱部材４を入れることにより、吸排熱部材４の形状が球形に近くなり表面積／体積比率が小さくなる。その結果、図９の矢印Ｑｃで示す方向の吸排熱部材４内部の伝熱速度が増加するため、容器３０を介した液体４０の温度上昇速度が増加する。また、吸排熱部材４が流動性を有するので容器３０に凹凸があっても、その形状に倣いやすく、吸排熱部材４と容器３０の接触面積を増加させることができる。その結果、容器３０を介した液体４０の受熱量が増加し、液体４０の温度上昇速度が増加する。さらにまた、液体４０を流動させるため、短時間でより均一に液体４０と容器３０が接触し、液体４０の温度上昇速度が増加する。以上のことから、より一層素早く液体４０を加温することができる。【００３３】  次に図９で説明した本発明の実施形態の構成例について説明する。吸排熱部材４は砂、小石、ガラスビーズ、粒状活性炭、粒状セラミック、スライム、着色水など、流動性を有するものが適用できる。袋状容器８０はビニール袋、麻袋、皮袋、紙袋などが適用できる。なお、袋状容器８０の形状は袋状に限られたものではなく、吸排熱部材４をトレイ５に広げたときよりも吸排熱部材４の表面積／体積比率を小さくできるのであれば、円筒形状、円錐形状、直方体形状などの容器でも良い、材質はプラスチック、金属、紙、木などが適用できる。【００３４】  また、吸排熱部材４に吸熱させる熱源は太陽光５２に限られたものではなく、ストーブ、炭火、焚き火、白熱電球など輻射熱を発生するものが利用できる。作用効果として、太陽光５２を利用する場合は、人工熱源ではないため、地球の資源を消費することがなく、省エネルギーである。【００３５】  なおまた、吸排熱部材４に吸熱させる熱源は太陽光５２の当たっている窓枠、床、壁、道路など、あるいは、走行終了後に熱くなっている自動車エンジン、使用終了後のガスレンジのゴトク、消火後、余熱で高温になっているストーブ天板など高温物体で有っても良い。吸熱方法は吸排熱部材４に高温物体を直接またはトレイ５を介して接触させる。作用効果として、接触熱伝導を利用して高温部分から吸排熱部材４に熱を移すため、輻射熱を利用するよりも素早く吸排熱部材４を加温することができる。また、高温部分が装置の発熱、余熱、漏れた熱など、その装置の目的外の熱により高温になっている場合は、その熱は環境に無駄に捨てられることになるので、その熱を利用すれば省エネルギーとなる。さらにまた、太陽光５２があたって高温になっている高温部分を利用する場合は、人工熱源ではないため、地球の資源を消費することがなく、より省エネルギーである。【００３６】  図１０は本発明の第３の実施形態を示す説明図である。太陽光５２などに当て、高温になった吸排熱部材６の上を液体４０の入った容器３０を転がし、吸排熱部材６と容器３０を接触させると共に、液体４０を流動させ、容器３０に入った液体４０を加温する。【００３７】  次に図１０で説明した本発明の実施形態における作用効果について説明する。吸排熱部材６は容器３０よりも太陽光５２などを受ける面積を広くすることができるため、太陽光５２を直接容器３０にあてた場合の液体４０の温度上昇速度よりも吸排熱部材６の温度上昇速度の方を大きくすることができる。然る後に接触熱伝導を利用して吸排熱部材６の熱を液体４０に移すため、総合して太陽光５２などを直接容器３０にあてる場合よりも液体４０を素早く加温することができる。また、液体４０を流動させるため、短時間で、より均一に液体４０と容器３０が接触し、液体４０の温度上昇速度が増加し、より一層素早く液体４０を加温することができる。さらにまた、図１０に示すように、吸排熱部材６を中心に向かって傾斜するように円弧を描いて支持部材７７上に設けることにより、容器３０が円を描くように転がる。その結果、図１０の矢印Ｓｃ方向の回転方向慣性力に加え、矢印Ｓｄ方向の遠心力が容器３０内部の液体４０に加わり、流動がより複雑となり、液体４０と容器３０がより一層速く均一に接触する。したがって、より一層素早く液体４０を加温することができる。【００３８】  なお、吸排熱部材６が輻射熱を受熱する熱源は太陽光５２に限られたものではなく、ストーブ、炭火、焚き火、白熱電球など輻射熱を発生するものが利用できる。作用効果として、太陽光５２を利用する場合は、人工熱源ではないため、地球の資源を消費することがなく、省エネルギーである。【００３９】  次に図１０で説明した本発明の実施形態の構成例について説明する。吸排熱部材６はゴムシート、樹脂板、木板、鉄、アルミなどの金属板、セラミック板、ガラス板などが適用できる。なお、作用効果として、ゴムシートのような弾性を有する部材であれば、吸排熱部材６と容器３０の接触面積が増加し、接触伝熱量が増加する。その結果、より一層素早く液体４０を加温することができる。【００４０】  なおまた、本発明の実施形態によると容器３０を密閉した状態で内部の液体４０を加温できるため、液体４０を内包した容器３０が市販の容器入り飲料であった場合、未開封のまま加温でき、外部から微生物、細菌、ウイルス、有害物質が侵入することを防止できる。【００４１】  以上、本発明の容器に入った液体を素早く加温する液体加温装置をその原理と実施形態に基づいて説明してきたが、本発明はこれら実施形態に限定されず様々な変形が可能である。
【図面の簡単な説明】
【図１】本発明の実施形態を示す説明図である。
【図２】本発明の実施形態の熱の流れを示す説明図である。
【図３】吸排熱シートの吸熱方法例を示す説明図である。
【図４】別の吸排熱シートの吸熱方法例を示す説明図である。
【図５】吸排熱シート及び断熱部材の構成例を示す説明図である。
【図６】断熱部材付き吸排熱シートの吸熱方法例を示す説明図である。
【図７】本発明の実施形態の加温状態例を示す説明図である。
【図８】本発明の実施形態の変形例を示す説明図である。
【図９】本発明の実施形態を示す説明図である。
【図１０】本発明の実施形態を示す説明図である。
【符号の説明】
１、３・・・吸排熱シート、４、６・・・吸排熱部材、５・・・トレイ、１０、１１・・・断熱部材、１２・・・断熱手袋、２・・・断熱部材付き吸排熱シート、２０・・・人の手、３０・・・液体の入った容器、４０・・・液体、５０・・・ストーブ、５１・・・太陽、５２・・・太陽光、６０・・・高温部分、６１・・・窓枠、８０・・・袋状容器
【図１】
2010112685.tif 000003
【図２】
2010112685.tif 000004
【図３】
2010112685.tif 000005
【図４】
2010112685.tif 000006
【図５】
2010112685.tif 000007
【図６】
2010112685.tif 000008
【図７】
2010112685.tif 000009
【図８】
2010112685.tif 000010
【図９】
2010112685.tif 000011
【図１０】
2010112685.tif 000012